(57)【要約】【課題】狭小地に設置される場合でも補水配管及びオーバーフロー配管のメンテナンス作業が容易に行える温水暖房装置を提供する。【解決手段】本発明の一態様に係る温水暖房装置は、第１側板と、第２側板とを有する筐体と、シスターンと、補水配管と、オーバーフロー配管とを備える。シスターン、補水配管及びオーバーフロー配管は、筐体の内部に配置される。筐体の第１方向における幅は、筐体の第２方向における幅よりも大きい。第１側板は、筐体から取り外し可能に構成される。筐体は、第１側板を取り外すことにより、第１側板側において、開口する。シスターンは、補水配管に接続される補水口と、オーバーフロー配管に接続される排出口とを有する。補水口及び排出口は、第１側板側に位置するシスターンの端部に配置される。補水口は、第２方向におけるシスターンの一方の端部に配置される。排出口は、第２方向におけるシスターンの他方の端部に配置される。【選択図】図１
2019128114.tif 000002
【特許請求の範囲】
【請求項１】
第１側板と、前記第１側板に対向する第２側板とを有する筐体と、
シスターンと、
前記シスターンと上水道とを接続する補水配管と、
前記シスターンに接続されるオーバーフロー配管とを備え、
前記シスターン、前記補水配管及び前記オーバーフロー配管は、前記筐体の内部に配置され、
前記第１側板から前記第２側板に向かう方向である第１方向における前記筐体の幅は、前記第１方向に直交する第２方向における前記筐体の幅よりも大きく、
前記第１側板は、前記筐体から取り外し可能に構成され、
前記筐体は、前記第１側板を取り外すことにより、前記第１側板側において開口し、
前記シスターンは、前記補水配管に接続される補水口と、前記オーバーフロー配管に接続される排出口とを有し、
前記補水口及び前記排出口は、前記第１側板側に位置する前記シスターンの端部に配置され、
前記補水口は、前記第２方向における前記シスターンの一方の端部に配置され、
前記排出口は、前記第２方向における前記シスターンの他方の端部に配置される、温水暖房装置。
【請求項２】
燃焼部と、熱交換部と、排気部とを有し、かつ、前記筐体の内部に配置される燃焼ユニットと、
前記シスターンと前記熱交換部とを接続する循環配管とさらに備え、
前記シスターンは、前記循環配管に接続される接続口をさらに有する、請求項１に記載の温水暖房装置。
【請求項３】
前記接続口は、前記第２側板側に位置する前記シスターンの端部に配置される、請求項２に記載の温水暖房装置。
【請求項４】
前記シスターンは、前記燃焼ユニットの上方に配置される、請求項２に記載の温水暖房装置。
【請求項５】
前記補水配管は、前記補水口に着脱可能に接続され、
前記オーバーフロー配管は、前記排出口に着脱可能に接続される、請求項４に記載の温水暖房装置。
【請求項６】
前記シスターンは、前記燃焼ユニットと一体となった状態で前記筐体から取り外し可能に構成される、請求項５に記載の温水暖房装置。
【請求項７】
前記シスターンは、第１部分と、第２部分と、第３部分とを有し、
前記第１部分は、前記第２部分及び前記第３部分よりも前記第２側板側に位置し、
前記第２部分及び前記第３部分は、前記第２方向において互いに離間して配置され、
前記排気部は、前記第２部分と前記第３部分との間に配置される、請求項４〜請求項６のいずれか１項に記載の温水暖房装置。
【請求項８】
前記補水口及び前記排出口の一方は、前記第２部分に配置され、
前記補水口及び前記排出口の他方は、前記第３部分に配置される、請求項７に記載の温水暖房装置。
【請求項９】
前記シスターンの高さは、前記シスターンの前記第１方向における幅及び前記シスターンの前記第２方向における幅よりも小さい、請求項４〜請求項８のいずれか１項に記載の温水暖房装置。
【請求項１０】
前記熱交換部と前記上水道とを接続し、かつ、前記筐体の内部に配置される給湯配管をさらに備え、
前記給湯配管は、前記燃焼ユニットの前記第１側板側に配置される、請求項２〜請求項９のいずれか１項に記載の温水暖房装置。
【発明の詳細な説明】
【技術分野】
【０００１】
本発明は、温水暖房装置に関する。
【背景技術】
【０００２】
従来から、非特許文献１（株式会社ノーリツ、ガス温水暖房システム総合カタログ第３３頁、２０１７年８月）に記載の温水暖房装置が知られている。非特許文献１に記載の温水暖房装置は、筐体と、筐体の内部に配置されるシスターン、補水配管及びオーバーフロー配管とを有している。
【０００３】
筐体は、第１側板と、第１側板に対向する第２側板と、第３側板と、第３側板に対向する第４側板とを有している。第１側板から第２側板に向かう方向である第１方向における筐体の幅は、第１方向に直交する第２方向（第３側板から第４側板に向かう方向）における筐体の幅よりも大きくなっている。第３側板は、筐体から取り外し可能に構成されている一方、第１側板、第２側板及び第４側板は、筐体から取り外し不能に構成されている。
【０００４】
補水配管を介して、上水道からシスターンに水が供給される。シスターンに貯留された湯水の量が過剰となった場合に、シスターンに貯留された湯水は、オーバーフロー配管を介して外部に排出される。シスターンは、補水配管が接続される補水口と、オーバーフロー配管が接続される排出口とを有している。補水口及び排出口は、第３側板側に位置するシスターンの端部に配置される。
【０００５】
なお、特許文献１（実開昭５２−１０１０５７号公報）に記載の温水循環装置も、従来から知られている。
【先行技術文献】
【特許文献】
【０００６】
【特許文献１】実開昭５２−１０１０５７号公報
【非特許文献】
【０００７】
【非特許文献１】株式会社ノーリツ、ガス温水暖房システム総合カタログ第３３頁、２０１７年８月
【発明の概要】
【発明が解決しようとする課題】
【０００８】
非特許文献１に記載の温水暖房装置においては、補水配管及びオーバーフロー配管のメンテナンスは、第３側板を取り外すことにより行われる。非特許文献１に記載の温水暖房装置においては、補水口及び排出口は、第３側面側に位置するシスターンの端部に配置されているため、メンテナンスを行う作業者は、第３側板を取り外すことにより、補水口及び排出口に容易にアクセスすることができる。
【０００９】
温水暖房装置は、通常、幅が広い方の筐体の側板が家の外壁と平行となるように設置される。そのため、非特許文献１に記載の温水暖房装置は、第３側壁が家の外壁と平行になるように設置される。しかしながら、非特許文献１に記載の温水暖房装置は、狭小地に設置される場合、外塀と第３側板との間の距離が短く、メンテナンス作業が困難である。
【００１０】
本発明は、上記のような従来技術の問題点に鑑みてなされたものである。より具体的には、本発明は、狭小地に設置される場合でも補水配管及びオーバーフロー配管のメンテナンス作業が容易に行える温水暖房装置を提供する。
【課題を解決するための手段】
【００１１】
本発明の一態様に係る温水暖房装置は、第１側板と、第１側板に対向する第２側板とを有する筐体と、シスターンと、シスターンと上水道とを接続する補水配管と、シスターンに接続されるオーバーフロー配管とを備える。シスターン、補水配管及びオーバーフロー配管は、筐体の内部に配置される。筐体の第１方向における幅は、筐体の第１方向に直交する第２方向における幅よりも大きい。第１方向は、第１側板から第２側板に向かう方向である。第１側板は、筐体から取り外し可能に構成される。筐体は、第１側板を取り外すことにより、第１側板側において開口する。シスターンは、補水配管に接続される補水口と、オーバーフロー配管に接続される排出口とを有する。補水口及び排出口は、第１側板側に位置するシスターンの端部に配置される。補水口は、第２方向におけるシスターンの一方の端部に配置される。排出口は、第２方向におけるシスターンの他方の端部に配置される。これによると、狭小地に設置される場合でも補水配管及びオーバーフロー配管のメンテナンス作業を容易に行うことができる。
【００１２】
上記の温水暖房装置は、燃焼部と、熱交換部と、排気部とを有し、かつ、筐体の内部に配置される燃焼ユニットと、シスターンと熱交換部とを接続する循環配管とさらに備えていてもよい。シスターンは、循環配管に接続される接続口をさらに有していてもよい。
【００１３】
上記の温水暖房装置において、接続口は、第２側板側に位置するシスターンの端部に配置されていてもよい。この場合には、補水口からシスターンに供給される水に含まれている気泡を抜けやすくすることができる。
【００１４】
上記の温水暖房装置において、シスターンは、燃焼ユニットの上方に配置されていてもよい。この場合には、温水暖房装置を低背化することができる。
【００１５】
上記の温水暖房装置において、補水配管は、補水口に着脱可能に接続され、オーバーフロー配管は、排出口に着脱可能に接続されていてもよい。
【００１６】
上記の温水暖房装置において、シスターンは、燃焼ユニットと一体となった状態で筐体から取り外し可能に構成されていてもよい。この場合には、シスターン及び燃焼ユニットを筐体から容易に取り外すことができる。
【００１７】
上記の温水暖房装置において、シスターンは、第１部分と、第２部分と、第３部分とを有していてもよい。第１部分は、第２部分及び第３部分よりも第２側板側に位置していてもよい。第２部分及び第３部分は、第２方向において互いに離間していてもよい。排気部は、第２部分と第３部分との間に配置されていてもよい。
【００１８】
上記の温水暖房装置において、補水口及び排出口の一方は、第２部分に配置され、補水口及び排出口の他方は、第３部分に配置されていてもよい。この場合には、温水暖房装置をさらに低背化することができる。
【００１９】
上記の温水暖房装置において、シスターンの高さは、シスターンの第１方向における幅及びシスターンの第２方向における幅よりも小さくてもよい。この場合には、温水暖房装置をさらに低背化することができる。
【００２０】
上記の温水暖房装置は、熱交換部と上水道とを接続し、かつ、筐体の内部に配置される給湯配管をさらに備えていてもよい。給湯配管は、燃焼ユニットの第１側板側に配置されていてもよい。この場合には、補水配管及び給湯配管の総延長を短くすることができる。
【発明の効果】
【００２１】
本発明の一態様に係る温水暖房装置によると、狭小地に設置される場合でも補水配管及びオーバーフロー配管のメンテナンス作業を容易に行うことができる。
【図面の簡単な説明】
【００２２】
【図１】実施形態に係る温水暖房装置の模式図である。
【図２】実施形態に係る温水暖房装置における筐体１０の斜視図である。
【図３】実施形態に係る温水暖房装置におけるシスターン１の側面図である。
【図４】実施形態に係る温水暖房装置におけるシスターン１の上面図である。
【図５】実施形態に係る温水暖房装置におけるシスターン１の底面図である。
【図６】実施形態に係る温水暖房装置における燃焼ユニット４の斜視図である。
【図７】実施形態に係る温水暖房装置におけるシスターン１が一体に組み付けられた状態での燃焼ユニット４の斜視図である。
【発明を実施するための形態】
【００２３】
本発明の実施形態を、図面を参照して説明する。なお、以下の図面においては、同一又は相当する部分に同一の参照符号を付し、重複する説明は繰り返さないものとする。
【００２４】
（実施形態に係る温水暖房装置の概略構成）
以下に、実施形態に係る温水暖房装置の概略構成を説明する。
【００２５】
図１に示すように、実施形態に係る温水暖房装置は、シスターン１と、補水回路２と、循環回路３と、燃焼ユニット４と、給湯回路５と、配管６（オーバーフロー配管）とを有している。
【００２６】
補水回路２は、配管２ａ（補水配管）を有している。循環回路３は、配管３ａ（第１の循環配管）、配管３ｂ、配管３ｃ、配管３ｄ、配管３ｅ及び配管３ｆ（第２の循環配管）と、ポンプ３ｇとを有している。燃焼ユニット４は、一次熱交換器４ａと、二次熱交換器４ｂと、一次熱交換器４ｃと、二次熱交換器４ｄと、バーナ４ｅとを有している。給湯回路５は、配管５ａ（第１の給湯配管）と、配管５ｂ（第２の給湯配管）とを有している。
【００２７】
配管２ａの一方端は、シスターン１に接続されている。配管２ａの他方端は、上水道に接続されている。配管６は、一方端においてシスターン１に接続されており、他方端において温水暖房装置の外部に接続されている。
【００２８】
配管３ａの一方端は、シスターン１に接続されている。配管３ａの他方端は、配管３ｂの一方端と配管３ｃの一方端とが接続されている部分に接続されている。配管３ｂの他方端は、低温暖房端末６ａに接続されている。配管３ｃの他方端は、一次熱交換器４ａに接続されている。配管３ｄの一方端は、一次熱交換器４ａに接続されている。配管３ｄの他方端は、高温暖房端末６ｂに接続されている。
【００２９】
配管３ｅは、一方端において、分岐している。一方端において分岐している配管３ｅの一方は、低温暖房端末６ａに接続されている。一方端において分岐している配管３ｅの他方は、高温暖房端末６ｂに接続されている。配管３ｅの他方端は、二次熱交換器４ｂに接続されている。配管３ｆの一方端は、二次熱交換器４ｂに接続されている。配管３ｆの他方端は、シスターン１に接続されている。ポンプ３ｇは、配管３ａの経路上に配置されている。ポンプ３ｇは、シスターン１に貯留されている水を、循環回路３に沿って循環させる（図１中の矢印の方向を参照）。
【００３０】
配管５ａの一方端は、上水道に接続されている。配管５ａの他方端は、二次熱交換器４ｄに接続されている。二次熱交換器４ｄは、一次熱交換器４ｃに接続されている。配管５ｂの一方端は、二次熱交換器４ｄに接続されている。配管５ｂの他方端は、カラン等に接続されている。
【００３１】
バーナ４ｅは、一次熱交換器４ａ及び一次熱交換器４ｃの近傍に配置されている。一次熱交換器４ａ及び一次熱交換器４ｃは、バーナ４ｅとの間で熱交換を行う。二次熱交換器４ｂ及び二次熱交換器４ｄは、一次熱交換器４ａ及び一次熱交換器４ｃと熱交換を行った後のバーナ４ｅの余熱との間で熱交換を行う。一次熱交換器４ａ、二次熱交換器４ｂ、一次熱交換器４ｃ及び二次熱交換器４ｄは、例えば、フィンアンドチューブ型の熱交換器である。
【００３２】
まず、実施形態に係る温水暖房装置による暖房動作を説明する。上水道からは、配管２ａを介して、シスターン１に水が供給される。なお、配管２ａを介したシスターン１への水の供給は、シスターン１に貯留されている水の量が所定以下である場合に行われ、シスターン１に貯留されている水の量が所定以上である場合に停止される。シスターン１に貯留されている水の量が過剰になった場合は、シスターン１に貯留されている水は、配管６を介して外部に排出される。
【００３３】
シスターン１に貯留されている水は、配管３ａ及び配管３ｃを介して、一次熱交換器４ａに供給される。一次熱交換器４ａに供給された水は、昇温される。一次熱交換器４ａにおいて昇温された水は、配管３ｄを介して、高温暖房端末６ｂに供給される。
【００３４】
高温暖房端末６ｂは、配管３ｄを介して供給された水により、暖房動作を行う。高温暖房端末６ｂにおいて暖房動作を行った水は、配管３ｅを介して、二次熱交換器４ｂに供給される。二次熱交換器４ｂに供給された水は、昇温される。二次熱交換器４ｂにおいて昇温された水は、配管３ｆを介してシスターン１に戻される。
【００３５】
シスターン１に貯留されている水は、配管３ａ及び配管３ｂを介して、低温暖房端末６ａに供給される。配管３ａ及び配管３ｂを介して供給された水により、低温暖房端末６ａは、暖房動作を行う。低温暖房端末６ａにおいて暖房動作を行った水は、配管３ｅを介して二次熱交換器４ｂに供給される。二次熱交換器４ｂに供給された水は、昇温される。二次熱交換器４ｂにおいて昇温された水は、配管３ｆを介して、再びシスターン１に戻される。
【００３６】
次に、実施形態に係る温水暖房装置による給湯動作を説明する。上水道からは、配管５ａを介して、一次熱交換器４ｃ及び二次熱交換器４ｄに水が供給される。一次熱交換器４ｃ及び二次熱交換器４ｄに供給された水は、昇温される。一次熱交換器４ｃ及び二次熱交換器４ｄにおいて昇温された水は、配管５ｂを介して、カラン等に供給される。
【００３７】
（実施形態に係る温水暖房装置の各構成要素の配置）
以下に、実施形態に係る温水暖房装置の各構成要素の配置を説明する。
【００３８】
＜筐体１０の構成＞
図２に示すように、実施形態に係る温水暖房装置は、筐体１０を有している。筐体１０は、天板１０ａと、底板１０ｂと、側板１０ｃと、側板１０ｄと、側板１０ｅと、側板１０ｆとを有している。
【００３９】
底板１０ｂは、天板１０ａと対向している。側板１０ｃ、側板１０ｄ、側板１０ｅ及び側板１０ｆは、天板１０ａ及び底板１０ｂと連なっている。側板１０ｃは、側板１０ｅと対向している。側板１０ｄは、側板１０ｆと対向している。
【００４０】
側板１０ｃから側板１０ｅに向かう方向は、第１方向ＤＲ１に沿っている。第２方向ＤＲ２は、第１方向ＤＲ１に直交している。第２方向ＤＲ２は、例えば、側板１０ｄから側板１０ｆに向かう方向に沿っている。
【００４１】
筐体１０は、幅Ｗ１と、幅Ｗ２とを有している。幅Ｗ１は、第１方向ＤＲ１における筐体１０の幅である。幅Ｗ２は、第２方向ＤＲ２における筐体１０の幅である。このことを別の観点からいえば、幅Ｗ１は、側板１０ｃと側板１０ｅとの間隔であり、幅Ｗ２は、側板１０ｄと側板１０ｆとの間隔である。幅Ｗ１は、幅Ｗ２よりも大きい。そのため、実施形態に係る温水暖房装置は、側板１０ｃが家の外壁と直交するように設置される（側板１０ｄ及び側板１０ｆが家の外壁と対向するように設置される）。
【００４２】
側板１０ｃは、筐体１０から取り外し可能に構成されている。筐体１０は、側板１０ｃを取り外すことによって、側板１０ｃ側において、開口する。このことを別の観点からいえば、側板１０ｃを取り外すことにより、筐体１０の内部へのアクセスが可能となっている。なお、側板１０ｄ、側板１０ｅ及び側板１０ｆは、筐体１０から取り外し不能とされている。側板１０ｃには、排気口１０ｃａが設けられている。
【００４３】
＜シスターン１の構成＞
図３〜図５に示すように、シスターン１は、上面１ａと、底面１ｂと、側面１ｃとを有している。シスターン１は、第１部分１ｄと、第２部分１ｅと、第３部分１ｆとを有している。シスターン１は、補水口１ｇと、排出口１ｈと、接続口１ｉ及び接続口１ｊとを有している。補水口１ｇ、排出口１ｈ、接続口１ｉ及び接続口１ｊは、シスターン１の内部と連通している。シスターン１は、筐体１０の内部に配置されている。
【００４４】
第１部分１ｄは、第２部分１ｅ及び第３部分１ｆよりも、側板１０ｅ側に位置している（第２部分１ｅ及び第３部分１ｆは、第１部分１ｄから第１方向ＤＲ１に沿って側板１０ｃ側に向かって突出している）。第２部分１ｅは、第２方向ＤＲ２において、第３部分１ｆから離間して配置されている。すなわち、シスターン１は、平面視において（上面１ａに直交する方向からみて）、コの字型の形状を有している。
【００４５】
補水口１ｇ及び排出口１ｈは、側板１０ｃ側に位置するシスターン１の端部に配置されている。好ましくは、補水口１ｇは、第２部分１ｅに位置し、かつ、側板１０ｃと対向する側面１ｃに配置されており、排出口１ｈは、第３部分１ｆに位置する底面１ｂに配置されている。
【００４６】
補水口１ｇは、第３部分１ｆに配置されていてもよく、排出口１ｈは、第２部分１ｅに配置されていてもよい。すなわち、補水口１ｇ及び排出口１ｈの一方は、第２部分１ｅに配置されており、補水口１ｇ及び排出口１ｈの他方は、第３部分１ｆに配置されていればよい。このことを別の観点からいえば、補水口１ｇは、第２方向ＤＲ２におけるシスターン１の一方の端部に配置され、排出口１ｈは、第２方向ＤＲ２におけるシスターン１の他方の端部に配置されている。
【００４７】
接続口１ｉ及び接続口１ｊは、側板１０ｃとは反対側（側板１０ｅ側）に位置するシスターン１の端部に配置されている。好ましくは、接続口１ｉ及び接続口１ｊは、第１部分１ｄに位置している底面１ｂに配置されている。
【００４８】
補水口１ｇは、配管２ａに接続される。排出口１ｈは、配管６に接続される。好ましくは、補水口１ｇと配管２ａとは、着脱可能に接続されている。好ましくは、排出口１ｈと配管６とは、着脱可能に接続されている。接続口１ｉは、配管３ａに接続される。接続口１ｊは、配管３ｆに接続される。上記のとおり、補水口１ｇ及び排出口１ｈは、側板１０ｃ側に位置するシスターン１の端部に配置されるため、配管２ａ及び配管６は、筐体１０の内部において、側板１０ｃ側に配置されている。また、上記のとおり、接続口１ｉ及び接続口１ｊは、側板１０ｅ側に位置するシスターン１の端部に配置されるため、配管３ａ及び配管３ｆは、筐体１０の内部において側板１０ｅ側に配置されている。
【００４９】
シスターン１は、幅Ｗ３と、幅Ｗ４と、高さＨとを有している。幅Ｗ３は、第１方向ＤＲ１におけるシスターン１の幅である。幅Ｗ４は、第２方向ＤＲ２におけるシスターン１の幅である。高さＨは、幅Ｗ３及び幅Ｗ４よりも小さいことが好ましい。
【００５０】
＜燃焼ユニット４の構成＞
図６に示すように、燃焼ユニット４は、熱交換部４１と、排気部４２とを有している。なお、燃焼ユニット４は、バーナ４ｅにより構成され、かつ、熱交換部４１の下方に配置される燃焼部を有しているが、図６においては図示していない。燃焼ユニット４は、筐体１０の内部に配置されている。
【００５１】
熱交換部４１は、上記の一次熱交換器４ａ、二次熱交換器４ｂ、一次熱交換器４ｃ及び二次熱交換器４ｄにより構成されている。熱交換部４１は、燃焼部の上方に配置されている。
【００５２】
熱交換部４１は、第１部分４１ａと、第２部分４１ｂとを有している。第２部分４１ｂは、第１部分４１ａの上方に配置されている。第１部分４１ａは、一次熱交換器４ａと、一次熱交換器４ｃとにより構成されている。一次熱交換器４ａは、側板１０ｅ側に位置しており、一次熱交換器４ｃは、側板１０ｃ側に位置している。第２部分４１ｂは、二次熱交換器４ｂと、二次熱交換器４ｄとにより構成されている。二次熱交換器４ｂは、側板１０ｅ側に位置しており、二次熱交換器４ｄは、側板１０ｃ側に位置している。
【００５３】
熱交換部４１（第１部分４１ａの一次熱交換器４ｃ）は、接続口４ｃａと、接続口４ｃｂとを有している。熱交換部４１（第２部分４１ｂの二次熱交換器４ｄ）は、接続口４ｄａと、接続口４ｄｂとを有している。接続口４ｄａには、配管５ａが接続される。接続口４ｄｂには、接続口４ｃａが接続される。接続口４ｃｂには、配管５ｂが接続される。接続口４ｃａ、接続口４ｃｂ、接続口４ｄａ及び接続口４ｄｂは、側板１０ｃ側に配置されている。そのため、配管５ａ及び配管５ｂは、燃焼ユニット４（熱交換部４１）の側板１０ｃ側に配置されることになる。配管５ａ及び配管５ｂも、筐体１０の内部に配置されている。
【００５４】
排気部４２は、排気集合筒４２ａと、排気筒４２ｂとを有している。排気部４２は、熱交換部４１の上方に配置されている。熱交換部４１を下方から上方に向かって通過した燃焼部からの排気は、排気部４２を介して筐体１０の外部に排出される。排気集合筒４２ａは、熱交換部４１の上面に設けられた開口に接続されている。排気集合筒４２ａは、下方から上方に向かうにしたがって流路面積が減少している。排気筒４２ｂは、排気集合筒４２ａ及び筐体１０の外部と接続している。より具体的には、排気筒４２ｂは、排気口１０ｃａに接続されることにより、筐体１０の外部と接続されている。
【００５５】
図７に示すように、シスターン１は、燃焼ユニット４の上方に位置している。より具体的には、シスターン１は、熱交換部４１の上方に位置している。
【００５６】
燃焼ユニット４には、シスターン１が一体に組み付けられている。シスターン１は、底面１ｂが燃焼ユニット側を向くように、燃焼ユニット４に組み付けられている。シスターン１は、第２部分１ｅと第３部分１ｆとの間に排気部４２（排気集合筒４２ａ）が通されることにより、シスターン１が燃焼ユニット４に一体に組み付けられていることが好ましい。これにより、シスターン１と燃焼ユニット４とが一体となった状態で、筐体１０から取り外し可能に構成されている。
【００５７】
（実施形態に係る温水暖房装置の効果）
以下に、実施形態に係る温水暖房装置の効果を説明する。
【００５８】
上記のとおり、幅Ｗ１は、幅Ｗ２よりも大きいため、実施形態に係る温水暖房装置は、側板１０ｃが家の外壁と直交するように配置される。また、実施形態に係る温水暖房装置は、側板１０ｃが筐体１０から取り外し可能となっているため、筐体１０の内部のメンテナンスを行う際、作業者は、土地の外塀との間で作業を行う必要がない。
【００５９】
上記のとおり、実施形態に係る温水暖房装置においては、補水口１ｇ及び排出口１ｈが側板１０ｃ側に位置するシスターン１の端部に配置されている。そのため、メンテナンスを行う作業者は、側板１０ｃを取り外すことにより配管２ａ（補水配管）及び配管６（オーバーフロー配管）に容易にアクセスすることができる。したがって、実施形態に係る温水暖房装置によると、狭小地に設置される場合でも補水配管及びオーバーフロー配管のメンテナンス作業を容易に行うことができる。
【００６０】
実施形態に係る温水暖房装置において、接続口１ｉ及び接続口１ｊが側板１０ｅ側に位置するシスターン１の端部に配置されている場合、接続口１ｉ及び接続口１ｊは、第１方向ＤＲ１において、補水口１ｇと反対側に位置していることになる。すなわち、接続口１ｉ及び接続口１ｊと補水口１ｇとの間の距離を大きくすることができる。そのため、補水口１ｇからシスターン１に供給される水に気泡が含まれていたとしても、当該水が補水口１ｇ側から接続口１ｉ及び接続口１ｊ側に向かって移動している際に、当該気泡が抜けやすい。
【００６１】
実施形態に係る温水暖房装置において、シスターン１が燃焼ユニット４の上方に（熱交換部４１の上方に）配置される場合には、燃焼ユニット４の上方にある（熱交換部４１の上方にある）デッドスペースを削減することができるため、温水暖房装置の低背化を図ることができる。
【００６２】
実施形態に係る温水暖房装置において、シスターン１が燃焼ユニット４と一体に取り出し可能に構成されている場合、補水口１ｇと配管２ａとの接続及び排出口１ｈと配管６との接続とを取り外すことにより、シスターン１及び燃焼ユニット４を筐体１０から容易に取り外すことが可能となる。
【００６３】
実施形態に係る温水暖房装置において、排気部４２（排気集合筒４２ａ）が第２部分１ｅと第３部分１ｆとの間に配置されている場合、筐体１０の高さを過度に大きくすることなくシスターン１を燃焼ユニット４（熱交換部４１）の上方に組み付けることができる。そのため、この場合には、燃焼ユニット４の上方にある（熱交換部４１の上方にある）デットスペースをさらに削減することにより、温水暖房装置の低背化をさらに図ることができる。
【００６４】
実施形態に係る温水暖房装置において、高さＨが幅Ｗ３及び幅Ｗ４よりも小さい場合、筐体１０の高さを過度に大きくすることなくシスターン１を燃焼ユニット４（熱交換部４１）の上方に組み付けることができる。そのため、この場合には、燃焼ユニット４の上方にある（熱交換部４１の上方にある）デットスペースをさらに削減することにより、温水暖房装置の低背化をさらに図ることができる。
【００６５】
配管５ａが燃焼ユニット４（熱交換部４１）の側板１０ｃ側に配置されている場合、上水道に接続されている配管５ａ及び配管２ａを同一の側（具体的には、側板１０ｃ側）に配置することができるため、配管５ａ及び配管２ａの総延長を短くすることができる。
【００６６】
今回開示された実施形態は全ての点で例示であって、制限的なものではないと考えられるべきである。本発明の範囲は、上記した実施の形態ではなく、特許請求の範囲によって示され、特許請求の範囲と均等の意味、及び範囲内での全ての変更が含まれることが意図される。
【産業上の利用可能性】
【００６７】
上記の実施形態は、温水暖房装置に特に有利に適用される。
【符号の説明】
【００６８】
１０  筐体、１０ａ  天板、１０ｂ  底板、１０ｃ，１０ｄ，１０ｅ，１０ｆ  側板、１０ｃａ  排気口、１  シスターン、１ａ  上面、１ｂ  底面、１ｃ  側面、１ｄ  第１部分、１ｅ  第２部分、１ｆ  第３部分、１ｇ  補水口、１ｈ  排出口、１ｉ，１ｊ  接続口、２  補水回路、２ａ  配管、３  循環回路、３ａ，３ｂ，３ｃ，３ｄ，３ｅ，３ｆ  配管、３ｇ  ポンプ、４  燃焼ユニット、４ａ  一次熱交換器、４ｂ  二次熱交換器、４ｃ  一次熱交換器、４ｃａ，４ｃｂ  接続口、４ｄ  二次熱交換器、４ｄａ，４ｄｂ  接続口、４ｅ  バーナ、４１  熱交換部、４１ａ  第１部分、４１ｂ  第２部分、４２  排気部、４２ａ  排気集合筒、４２ｂ  排気筒、５  給湯回路、５ａ，５ｂ  配管、６ａ  低温暖房端末、６ｂ  高温暖房端末、ＤＲ１  第１方向、ＤＲ２  第２方向、Ｗ１，Ｗ２，Ｗ３，Ｗ４  幅、Ｈ  高さ。
【図１】
2019128114.tif 000003
【図２】
2019128114.tif 000004
【図３】
2019128114.tif 000005
【図４】
2019128114.tif 000006
【図５】
2019128114.tif 000007
【図６】
2019128114.tif 000008
【図７】
2019128114.tif 000009